(57)【要約】  本発明は、成形機（１）の中でシート状要素（Ｐ）をスタックに配置するめのスタッキング装置（１０）に関し、スタッキング装置（１０）は、  可動のスタッキング面（１１）と、スタッキング面（１１）を、シートを積み重ねるために往復前進後退運動で後退位置と垂直前方位置との間で、及びシート状要素（Ｐ）のスタックへのアクセスを可能にするために後退位置と収容位置との間で動かすための作動デバイ（１２）と、を備え、アクチュエータ（１２）は、スタッキング面（１１）を収容位置に上方に動かして、上昇位置においてシートスタックの上に配置されるようにするためのカム手段を備える。本発明は、少なくとも１つの当該スタッキング装置を備えるシート状要素を成形するための機械にも関する。【選択図】図２
2021526494.tif 000002
【特許請求の範囲】
【請求項１】
成形機（１）の中でシート状要素（Ｐ）をスタックに積み重ねるためのスタッキング装置（１０）であって、
可動のスタッキング面（１１）と
前記スタッキング面（１１）を、シートを積み重ねるために往復前進後退運動で後退位置と垂直前方位置との間で、及びシート状要素（Ｐ）のスタックへのアクセスを可能にするために後退位置と収容位置との間で動かすための作動デバイス（１２）と、を備え、
前記作動デバイス（１２）は、前記スタッキング面（１１）を前記収容位置に上方に動かして、上昇位置において前記シートスタックの上に配置されるようにするためのカム手段を備え、前記カム手段は、前記スタッキング面（１１）に固定された少なくとも１つの第１の従動ローラ（１４）と、前記少なくとも１つの第１の従動ローラ（１４）と協働して前記スタッキング面（１１）の移動を案内する少なくとも１つの第１の制御形状（１５）とを有し、
前記カム手段は、前記少なくとも１つの第１の従動ローラ（１４）の下方で前記スタッキング面（１１）に固定された少なくとも１つの第２の従動ローラ（１７）と、前記少なくとも１つの第２の従動ローラ（１７）と協働する少なくとも１つの第２の制御形状（１８）とを備え、前記少なくとも１つの第２の制御形状（１８）の第１の部分（１８ａ）は、前記後退位置と前記垂直前方位置との間の前記スタッキング面（１１）の移動を案内するために湾曲しており、前記第２の制御形状（１８）の第２の部分（１８ｂ）は、前記後退位置と前記収容位置との間の前記スタッキング面（１１）の移動を案内するために直線である、
ことを特徴とするスタッキング装置（１０）。
【請求項２】
前記スタッキング面を前記後退位置と前記上方収容位置との間で動かすように構成された前記カム手段は、前記シートを積み重ねるために前記スタッキング面を前記後退位置と前記垂直前方位置との間で動かすように構成されたものと同じである、
請求項１に記載のスタッキング装置（１０）。
【請求項３】
前記少なくとも１つの第１の制御形状（１５）は直線である、
請求項１又は２に記載のスタッキング装置（１０）。
【請求項４】
前記少なくとも１つの第１の制御形状（１５）の直線部は、水平方向に関して３０度未満の角度（α）を成す、
請求項１から３のいずれか１項に記載のスタッキング装置（１０）。
【請求項５】
前記少なくとも１つの第２の制御形状（１８）の前記第２の部分（１８ｂ）の直線部は、垂直方向に関して３０度未満の角度（β）を成す、
請求項１から４のいずれか１項に記載のスタッキング装置（１０）。
【請求項６】
前記第２の制御形状（１８）の前記第２の部分（１８ｂ）は、前記第１の制御形状（１５）の方向と交差する、
請求項１から５のいずれか１項に記載のスタッキング装置（１０）。
【請求項７】
前記従動ローラ（１４、１７）は、前記スタッキング面（１１）上に配置され、前記収容位置における前記制御形状（１５、１８）との協働は、前記スタッキング面（１１）を水平方向に関して３０度未満の角度を成す上方位置に動かすようになっている、
請求項１から６のいずれか１項に記載のスタッキング装置（１０）。
【請求項８】
前記少なくとも１つの第１の制御形状（１５）及び前記少なくとも１つの第２の制御形状（１８）は横方向にオフセットして、前記少なくとも１つの第１の従動ローラ（１４）が前記少なくとも１つの第２の制御形状（１８）と協働するのを防止する、
請求項１から７のいずれか１項に記載のスタッキング装置（１０）。
【請求項９】
前記少なくとも１つの第１の又は第２の制御形状（１５、１８）は、溝（１９、２０）で形成される、
請求項１から８のいずれか１項に記載のスタッキング装置（１０）。
【請求項１０】
前記作動デバイス（１２）は、前記少なくとも１つの第１の従動ローラ（１４）が前記少なくとも１つの第１の制御形状（１５）に接触するのを保証するために、１つの固定された末端（２１ａ）及び前記スタッキング面（１１）に固定された１つの末端を有する少なくとも１つの弾性部材（２１）を備える、
請求項１から９のいずれか１項に記載のスタッキング装置（１０）。
【請求項１１】
前記カム手段は、
各々が前記スタッキング面（１１）のそれぞれの端部に固定された、２つの第１の従動ローラ（１４）と、
前記第１の従動ローラ（１４）のそれぞれと協働する、２つの第１の制御形状（１５）と、を備えている、
請求項１から１０のいずれか１項に記載のスタッキング装置（１０）。
【請求項１２】
前記カム手段は、
各々が前記第１の従動ローラ（１４）の下で前記スタッキング面（１１）のそれぞれの端部に固定された、２つの第２の従動ローラ（１７）と、
前記第２の従動ローラ（１７）のそれぞれと協働する２つの第２の制御形状（１８）と、を備えている、
請求項１から１１のいずれか１項に記載のスタッキング装置（１０）。
【請求項１３】
前記作動デバイス（１２）は、前記スタッキング面（１１）の移動をもたらす少なくとも１つのアクチュエータ（２２）を備えている、
請求項１から１２のいずれか１項に記載のスタッキング装置（１０）。
【請求項１４】
前記少なくとも１つのアクチュエータ（２２）は、前記スタッキング面（１１）を短ストロークで前記後退位置と前記前方垂直位置との間で動かし、前記スタッキング面（１１）を長ストロークで前記後退位置と前記収容位置との間で動かすように構成された、二重空気圧式ジャッキを備えている、
請求項１から１３のいずれか１項に記載のスタッキング装置（１０）。
【請求項１５】
請求項１から１４のいずれか１項に記載のシート状要素（Ｐ）をスタックにするための少なくとも１つのスタッキング装置（１０）を備えることを特徴とする、シート状要素の成形機（１）。
【発明の詳細な説明】
【技術分野】
【０００１】
本発明は、シート状要素を成形機内で積み重ねるスタッキング装置に関する。また、本発明は、少なくとも１つのこのようなスタッキング装置を備えるシート状要素を成形する機械に関する。
【背景技術】
【０００２】
パッケージング製造業において、シートは、例えば所定形状の複数の箱を取得するため、所望のように展開された形状に対応する打ち抜き金型によって打ち抜かれる。打ち抜き及び端材の排出後、水平に置かれた各シートの間の付着点が破断され、水平に置かれたシートは受け入れ領域に積み重ねられ、ここではシートはスタッカを用いて垂直パイルに積み重ねられる。
【０００３】
それぞれの新しいシートの到来時、多関節アームによって作動されるスタッキンググリッドは、シートを収容して積み重ねるために傾斜位置から垂直位置へ僅かに枢動する。次に、スタッキンググリッドは、新しいシートを受け入れるためにその傾斜した「じょうご状」位置に戻る。スタッキンググリッドのこの前進後進往復動作は「ジョグ動作」とも呼ばれる。
【０００４】
シートの成形品質を管理するために、製造時にサンプルが定期的に抽出される。
従って、一部のシステムは、スタッキンググリッドを後方かつ下方へ枢動させるアームを折り畳むことでスタッカの位置でスタックへのアクセスを始める。また、アームが折り畳まれると、スタッキンググリッドは、水平に回転するが依然としてスタックにアクセスする経路内でスタックの前に残る。従って、グリッドの上側で開くスタックへのアクセス口は狭く、サンプルを取りたいと思うオペレータの作業は容易ではない。米国特許第５，５４４，５８３号明細書又は米国特許第５，７４９，５７１号明細書は他の例を提示する。
【先行技術文献】
【特許文献】
【０００５】
【特許文献１】米国特許第５，５４４，５８３号明細書
【特許文献２】米国特許第５，７４９，５７１号明細書
【発明の概要】
【発明が解決しようとする課題】
【０００６】
従って、本発明の１つの目的は、シートのサンプル抽出を容易にするシートのスタッキング装置を提案することである。
【課題を解決するための手段】
【０００７】
この目的のために、本発明の主題は、成形機の中でシート状要素をスタックに配置するめのスタッキング装置であり、スタッキング装置は、
可動のスタッキング面と
スタッキング面を、シートを積み重ねるために往復前進後退運動で後退位置と垂直前方位置との間で、及びシート状要素のスタックへのアクセスを可能にするために後退位置と収容位置との間で動かすための作動デバイと、を備え、
アクチュエータは、スタッキング面を収容位置に上方に動かして、上昇位置においてシートスタックの上に配置されるようにするためのカム手段を備える。
従って、全ての高さにわたってシートスタックへのアクセスが可能になる。
【０００８】
従って、カム手段は、スタッキング面に固定された少なくとも１つの第１の従動ローラと、少なくとも１つの第１の従動ローラと協働してスタッキング面の移動を案内する少なくとも１つの第１の制御形状とを備える。
【０００９】
実施形態の一例によれば、スタッキング面を後退位置と上方収容位置との間で動かすように構成された少なくとも１つの第１の従動ローラと少なくとも１つの第１の制御形状とを備えるカム手段は、シートを積み重ねるためにスタッキング面を往復前進後退運動で後退位置と垂直前方位置との間で動かすように構成されたものと同じである、
【００１０】
連接ピボットの代わりに、少なくとも１つの第１の従動ローラ及び少なくとも１つの第１の制御形状によってスタッキング面１１の移動を案内することによって、スタッキング面１１は、シートスタックから離れてその上に収容することができる。従って、シート状要素の抽出を容易できるように受け入れ領域内のスタックへの広範なアクセスを可能にするために、少なくとも１つの第１の制御形状の機能設計を最適にすることで、単純で頑丈かつ経済的な方法で、スタッキング面の適切な移動をもたらすことが可能である。
【００１１】
実施形態の一例によれば、少なくとも１つの第１の制御形状は直線である。
少なくとも１つの第１の制御形状の直線部は、例えば、水平方向に関して３０度未満の角度を成す。
カム手段は、少なくとも１つの第１の従動ローラの下方でスタッキング面に固定された少なくとも１つの第２の従動ローラと、少なくとも１つの第２の従動ローラと協働する少なくとも１つの第２の制御形状とを備える。
【００１２】
少なくとも１つの第２の制御形状の第１の部分は、後退位置と垂直前方位置との間のスタッキング面の移動を案内するために湾曲しており、第２の制御形状の第２の部分は、後退位置と収容位置との間のスタッキング面の移動を案内するために直線である。
【００１３】
実施形態の一例によれば、スタッキング面を後退位置と上方収容位置との間で動かすように構成された少なくとも１つの第２の従動ローラと少なくとも１つの第２の制御形状とを備えるカム手段は、シートを積み重ねるためにスタッキング面を往復前進後退運動で後退位置と垂直前方位置との間で動かすように構成されたものと同じである、
【００１４】
少なくとも１つの第２の制御形状の第２の部分の直線部は、垂直方向に関して３０度未満の角度を成す。
第２の制御形状の第２の部分は、例えば、第１の制御形状の方向と交差する。
従動ローラは、スタッキング面上に配置され、例えば、収容位置における制御形状との協働は、スタッキング面を水平方向に関して３０度未満の角度を成す上方位置に動かすようになっている。
【００１５】
少なくとも１つの第１の制御形状及び少なくとも１つの第２の制御形状は横方向にオフセットすることができ、特に、第１の従動ローラが第１の制御形状を辿って収容位置から戻り、後退位置になるために第２の制御形状と交差する際に、少なくとも１つの第１の従動ローラが少なくとも１つの第２の制御形状と協働するのを防止する。
【００１６】
作動デバイスは、少なくとも１つの第１の従動ローラが少なくとも１つの第１の制御形状に、必要に応じて少なくとも１つの第２の従動ローラが少なくとも１つの第２の制御形状に接触するのを保証するために、１つの固定された末端及びスタッキング面に固定された１つの末端を有する少なくとも１つの弾性部材を備えることができる。弾性部材は、従動ローラがそれぞれの制御形状を押すのを保証する。
【００１７】
実施形態の一例によれば、カム手段は、各々がスタッキング面のそれぞれの端部に固定された２つの第１の従動ローラと、第１の従動ローラのそれぞれと協働する２つの第１の制御形状とを備える。
【００１８】
実施形態の一例によれば、カム手段は、各々が第１の従動ローラの下でスタッキング面のそれぞれの端部に固定された２つの第２の従動ローラと、第２の従動ローラのそれぞれと協働する２つの第２の制御形状とを備える。
【００１９】
作動デバイスは、例えば、スタッキング面の移動をもたらす少なくとも１つのアクチュエータを備える。
少なくとも１つのアクチュエータは、例えば、スタッキング面を短ストロークで後退位置と前方垂直位置との間で動かし、スタッキング面を長ストロークで後退位置と収容位置との間で動かすように構成された二重空気圧式ジャッキを備える。
【００２０】
本発明は、上記の少なくとも１つのシート状のスタッキング装置を備えることを特徴とするシート状要素の成形機に関する。
他の利点及び特性は、本発明の説明を読むことで並びに本発明の実施形態の非限定的な例を示す添付図面から明らかになるであろう。
【図面の簡単な説明】
【００２１】
【図１】シート状要素の成形機の一例の概略的に示す
【図２】図１の成形機のスタッキング装置の斜視図を示す。
【図３】図２のスタッキング装置の作動デバイスの要素の斜視図を示す。
【図４】図２のスタッキング装置の詳細の部分斜視図を示す。
【図５Ａ】図２のスタッキング装置の要素の斜視図を示し、スタッキング面は垂直前方位置にある。
【図５Ｂ】垂直前方位置での図３のアクチュエータの要素を示す。
【図６Ａ】スタッキング面が後退位置にある、図５Ａと同様の図である。
【図６Ｂ】後退位置での図５Ｂと同様の図である。
【図７Ａ】スタッキング面が収容位置にある、図５Ａと同じ図である。
【図７Ｂ】収容位置での図５Ｂと同様の図である。
【図８Ａ】スタッキング面が垂直前方位置にある、シート状要素のスタックと図２のアクチュエータの側面図である。
【図８Ｂ】スタッキング面が後退位置にある、図８Ａと同じ図である。
【図８Ｃ】スタッキング面は収容位置にある、図８Ａと同じ図である。
【発明を実施するための形態】
【００２２】
図面において、同じ要素は同じ参照番号を有する。以下の実施形態は例示である。本明細書は、１又は２以上の実施形態に言及するが、これは、各言及が１つの同じ実施形態に関すること又は特徴が単一実施形態に適用されることを必ずしも意味しない。様々な実施形態の簡単な特徴を組み合わせて、又は交換して他の実施形態を形成することができる。
【００２３】
用語「上流」及び「下流」は、図１の矢印Ｄで示すようにシートの長手方向に関して定められる。シートは、周期的停止によって計時される移動で、機械の長手方向軸線にほぼ従って上流から下流に移動する。
【００２４】
用語「シート状要素」及び「シート」は、均等物であると見なされ、かつパッケージング産業で一般的に使用される波形厚紙及び平坦厚紙、紙、又はあらゆる他の材料を含む。本明細書を通して用語「シート」又は「シート要素」又は「シート状要素」は、非常に一般的な方式では例えば厚紙の、紙の、プラスチックのなどのシートのような平坦なあらゆる印刷媒体を示すことは理解されるであろう。
【００２５】
用語「上の」、「下の」、「上に」、「下に」、「水平の」、「垂直の」は、床面に設置された成形機内の要素の配置を参照して定められる。
【００２６】
図１は、シートを変換させるための成形機１の一例を示す。この成形機１は、従来、並置されるが互いに独立して一体アセンブリを形成する複数の作業ステーションで構成されていた。従って、導入ステーション１００と、マージンテーブル２００と、例えばデッキプレス３０１を含むシートを打ち抜く、エンボス加工する、又はスタンプ加工するための変換ステーション３００と、打ち抜き機の場合は端材排出ステーション４００又はスタンプ加工機の場合はストリップ供給ステーション４００と、変換されたシートがスタックに再編成されるシート受け取りステーション５００とが存在する。
【００２７】
各シートを変換する作業は、変換ステーション３００において、例えば、所与の形状の複数の箱を取得するために、取得されることになる展開形状に対応する打ち抜き金型を用いてシートを打ち抜くためのプレス３０１の固定デッキと下側可動デッキとの間で実施される。可動デッキは、各機械サイクル中に、一回、連続的に上昇し下降する。
【００２８】
さらに、搬送デバイス７０が、マージンテーブル２００の出口から、プレスによる変換ステーション３００を通して、シート排出ステーション５００まで各シートを個々に移動させるために設けられている。
【００２９】
搬送デバイス７０は、一般的に把持器バー７５として知られているクランプを備えた複数の横断バーを含み、横断バーの各々は、次に、シートを順番に機械１の様々な作業ステーション３００、４００、５００に引き寄せる前に、シートを前縁上で順次把持する。
【００３０】
把持器バー７５の側端の各々は、一般的にチェーン列８０と呼ばれるループを形成する側面チェーンにそれぞれ接続される。従って、把持器バー７５の各側に１つずつ２つのチェーン列８０が横方に配置される。
【００３１】
チェーン列８０に伝達される運動によって、把持器バー７５のセットは、停止位置から開始して加速し、最大速度を達成して減速し、その後に停止することになり、こうして１つの作業ステーションから次の作業ステーションへのシートの移動に対応するサイクルが説明される。チェーン列８０は、各移動中に全ての把持器バー７５が１つのステーションから隣接する下流の作業ステーションに移動されるように周期的に移動及び停止する。各ステーションは、一般的に機械サイクルと呼ばれるこのサイクルと同期して作業を実施する。作業ステーションは、各機械サイクルの開始毎に新しい仕事を開始する。
【００３２】
成形機１内の処理ステーションの数及び性質は、シートに対して実施される作業の性質及び複雑さに従って様々とすることができる。本発明との関連では、成形機という概念は、これらのアッセンブリのモジュール式構造に起因して多くの実施形態を網羅する。使用される作業ステーションの数、性質、及び配列に基づいて、実際には複数の異なる成形機を得ることが可能である。エンボス加工又がフォージングなどの上述のもの以外の、又はスタンピング機又はホットフォイルスタンピング機のためのスタンピングストリップ装填ステーションなどの別のタイプの作業ステーションが存在することを指摘することも重要であり、１又は２以上のスタンピングストリップによってたらされるフイルムから各シート上に適用されるパターンは、プレスのデッキの間で実行される。最後に、同じ成形機は、１つの同じタイプの複数のステーションを十分良好に装備することができることが分かる。
【００３３】
シート受け入れステーション５００において、変換されたシートは、受け入れ領域２内で、例えば、垂直移動可能な受け入れパレット４上で垂直パイルに積み重ねられる。
【００３４】
成形機１は、変換されたシートをスタックに積み重ねるための、シート受け入れステーション５００に配置された少なくとも１つのスタッキング装置１０をさらに備える。
【００３５】
成形機１は、例えば、シートスタックのそれぞれの面に向かい合って配向された２つのスタッキング装置１０を備え、固定ストップは、各スタッキング装置１０に関してスタックの反対側に配置されている。例えば、成形機１毎に１つの前方スタッキング装置及び片側スタッキング装置が存在する。
【００３６】
図２から分かるように、スタッキング装置１０は、可動スタッキング面１１と、シートを積み重ねるためにスタッキング面１１を往復前進後退運動で後退位置と垂直前方位置との間で移動させる、及びシート状要素Ｐのスタックへのアクセスを解除するために後退位置と収容位置との間で移動させるための作動デバイス１２とを有する。
スタッキング面１１は、例えば、格子などのリブ付けする及び／又は穿孔することができるデッキに形成された平面を有する。
【００３７】
スタッキング面１１は、ジョグ動作に従って、すなわち往復前進後退運動で垂直前方位置（図５Ａ、８Ａ）と後退位置（図６Ａ、８Ｂ）との間で移動可能である。スタッキング面１１のジョグ動作によって、シートは、成形後に格納されてスタックを成すことができる。この動きは、例えば毎秒約２又は３回、各シート受け入れ時に実行される。
【００３８】
また、スタッキング面１１は、収容位置（図７Ａ、８Ｃ）に動いて、シート状要素Ｐのスタックへのアクセスのために開くことができる。
アクチュエータ１２は、スタッキング面１１を後退位置において上方に、シートスタックの上部の上に位置する上昇位置（図８Ｃ）に動かすよう構成されたカム手段を含む。
従って、シートスタックへのアクセスが、全ての高さにわたって可能になる。
【００３９】
この目的で、例えば、カム手段は、その１つの末端でスタッキング面１１に固定された少なくとも１つの第１の従動ローラ１４と（図３及び図４）、例えばスタッキング装置１０の支持部１６の中に配置され少なくとも１つの第１の従動ローラ１４と協働してスタッキング面１１の移動を案内する少なくとも１つの第１の制御形状１５（図３）とを備える。
【００４０】
実施形態の一例によれば、後退位置と上方収容位置との間でスタッキング面１１を動かすように構成された、少なくとも１つの第１の従動ローラ１４及び少なくとも１つの第１の制御形状１５を備えるカム手段は、シートを積み重ねるためにスタッキング領域１１を後退位置と垂直前方位置との間で往復前進後退運動で動かすものと同じように構成される。
【００４１】
連接ピボットの代わりに、少なくとも１つの第１の従動ローラ１４及び少なくとも１つの第１の制御形状１５によってスタッキング面１１の移動を案内することによって、スタッキング面１１を、シートスタックから離れてその上に収容することができる。従って、シート状要素Ｐの抽出を容易できるように受け入れ領域２内のスタックへの広範なアクセスを可能にするために、少なくとも１つの第１の制御形状１５の機能設計を最適にすることで、単純で頑丈かつ経済的な方法で、スタッキング面１１の適切な移動をもたらすことが可能である。
【００４２】
少なくとも１つの第１の制御形状１５は、例えば直線である（図３）。その結果、この直線部は、少なくとも１つの第１の従動ローラ１４を３つの位置の間で案内するので、スタッキング面１１を動かすための途切れがない。ジョグ動作でのスタッキング面１１の案内は、この直線の制御形状のごく一部、例えば第１の制御形状１５の１０％未満に相当する。少なくとも１つの第１の制御形状の直線部は、例えば、水平方向に関して３０度未満の角度αを成す。
【００４３】
カム手段は、少なくとも１つの第１の従動ローラ１４の下方でスタッキング面１１に固定された少なくとも１つの第２の従動ローラ１７と、少なくとも１つの第２の従動ローラ１７と協働する少なくとも１つの第２の制御形状１８とをさらに備える（図３）。
【００４４】
実施形態の一例によれば、後退位置と上方収容位置との間でスタッキング面１１を動かすように構成された少なくとも１つの第１の従動ローラ１７及び少なくとも１つの第１の制御形状１８を備えるカム手段は、シートを積み重ねるためにスタッキング領域１１を後退位置と垂直前方位置との間で往復前進後退運動で動かすものと同じように構成される。
【００４５】
少なくとも１つの第２の制御形状１８の第１の部分１８ａは湾曲しており、スタッキング面１１の移動を後退位置と垂直前方位置との間で案内するために、例えばループ部を形成する。制御形状１８の湾曲形状によって、スタッキング面１１は、後退位置において枢動に加えて僅かに引き戻される。
【００４６】
第２の制御形状１８の第２の部分１８ｂは、後退位置と収容位置との間でスタッキング面１１の移動を案内するよう直線である。第１の部分１８ａ及び第２の部分１８ｂは、スタッキング面１１を連続して３つの位置の間で動かすために隣接して連続している。
【００４７】
少なくとも１つの第２の制御形状１８の第２の部分の直線部は、例えば、垂直方向に関し３０度未満の角度βを成す。
第２の制御形状１８の第２の部分１８ｂは、例えば、制御形状１５のごく一部の端部において第１の制御形状１５の方向と交差する。
第２の制御形状１８は、第２の部分１８ｂの端部に位置し、従動ローラ１７が収容位置で協働する傾斜直線部を形成する第３の部分１８ｃをさらに備えることができる（図３及び図７Ｂ）。
【００４８】
従動ローラ１４、１７は、スタッキング面１１上に配置され、例えば、これらが収容位置で制御形状１５、１８と協働すると、水平方向に関して３０度未満の角度を成すことでスタッキング面１１を上昇位置に動かすようになっている。
【００４９】
従って、垂直前方位置において、スタッキング面１１は垂直に配置されシートを積み重ねるために押す（図５Ａ、図８Ａ）。後退位置において、スタッキング面１１は枢動してスタックから僅かに後ろに変位する（図６Ａ、図８Ｂ）。収容位置において（図７Ａ、図８Ｃ）、スタッキング面１１は実質的に水平位置に上昇してスタックから離れる。
【００５０】
少なくとも１つの第１の又は第２の制御形状（１５、１８）は、例えば、溝１９、２０で形成される。第３の部分１８ｃは、例えば、２つの溝１９、２０に接触する。
第１の制御形状１５は、例えば、溝１９の両端に形成された２つの端位置（垂直前方位置及び収容位置）のための２つのストップを備えることができる。
【００５１】
少なくとも１つの第１の制御形状１５及び少なくとも１つの第２の制御形状１８は、横方向にオフセットすることができる。例えば、異なる厚さの２つの溝１９、２０の中に制御形状１５、１８を形作ることが可能であり、第１の制御形状１５は、例えば、より深い溝１９で形成される（図３）。これにより、少なくとも１つの第１の従動ローラ１４が、特に、第１の従動ローラ１４が第１の制御形状１５を辿って収容位置から戻り、後退位置になるために第２の制御形状１８と交差する際に、少なくとも１つの第２の制御形状１８と協働することが防止される。
【００５２】
作動デバイス１２は、少なくとも１つの弾性部材２１、例えば引張ばねをさらに含むことができ、弾性部材の一方の末端２１ａは支持体１６に固定され、例えばしっかり固定され、他方の末端２１ｂはスタッキング面１１にしっかり固定される（図４）。弾性部材２１は、従動ローラ１４、１７が常に溝１９、２０の同じ側面に寄りかかり、制御形状１５、１８のそれぞれと協働するのを保証する。
【００５３】
カム手段は、例えば、スタッキング面１１のそれぞれの端部に固定され２つの第１の従動ローラ１４と、第１の従動ローラ１４のそれぞれと協働する２つの第１の制御形状１５とを備える。加えて、カム手段は、２つの第２の従動ローラ１７と、第２の従動ローラ１７のそれぞれと協働する２つの第２の制御形状１８を備えることもできる。第２の従動ローラ１７の各々は、第１の従動ローラ１４の下でスタッキング面１１の末端のそれぞれに固定される。
【００５４】
第１の制御形状１５及び第２の制御形状１８は、例えば、スタッキング面１１の各側面上でその各末端において横方に配置された２つの支持体１６に形成される（図２）。
スタッキング面１１の駆動は、例えば、少なくとも１つのアクチュエータ２２を用いて行われる。
【００５５】
作動デバイス１２は、例えば、各々がスタッキング面１１の一端に結合された２つのアクチュエータ２２を備える（図２）。
少なくとも１つのアクチュエータ２２のロッドは、例えば、第１の従動ローラ１４の背面に位置する作動点に結合される（図４）。
【００５６】
実施形態の一例によれば、少なくとも１つのアクチュエータ２２は、スタッキング面１１を短ストロークで後退位置と垂直前方位置との間で動かし、スタッキング面１１を長ストロークで後退位置と収容位置との間で動かすように構成された二重空気圧式ジャッキを備える。
【００５７】
シート受け入れステーション５００の受け入れ領域２のスタッキング装置１０を運転する例を以下に説明する。
製造時、スタッキング面１１は、成形後にシートを一枚ずつ積み重ねてスタックを形成するために、垂直前方位置（図５Ａ、図５Ｂ、図８Ａ）及び後退位置（図６Ａ、図６Ｂ、図８Ｂ）との間で往復様式で移動する。
【００５８】
スタッキング面１１のジョグ動作での案内は、直線の第１の制御形状１５のごく一部に対する第１の従動ローラ１４及び第２の制御形状１８の湾曲した第１の部分１８ａに対する第２の従動ローラ１７の往復運動によって達成される。
従って、垂直前方位置において、スタッキング面１１は垂直方向に位置し、シートをスタックに位置するように押す（図５Ａ、図５Ｂ、図８Ａ）。後退位置において、スタッキング面１１は枢動してスタックから僅かに後方に変位する（図６Ａ、図６Ｂ、図８Ｂ）。
【００５９】
ユーザが変換されたシートを抽出しようとする際に、ユーザはアクチュエータ２２を長ストロークに制御して、スタッキング領域１１を収容位置に傾斜させて（図７Ａ、図７Ｂ、図８Ｃ）、シート状要素Ｐのスタックへのアクセスを可能にする。
【００６０】
第１の従動ローラ１４は、直線の第１の制御形状１５の大部分で途切れなく移動を続け、第２の従動ローラ１７は、第２の制御形状１８の直線の第２の部分１８ｂ上での移動を続ける。従って、スタッキング面１１は、例えば、水平方向に関して３０度未満の角度を成すことで、収容位置に動く。この収容位置において（図７Ａ、図７Ｂ、図８Ｃ）、スタッキング面１１は、スタック上方のほぼ水平な上方位置に上昇する。後退位置と収容位置との間で、スタッキング面１１は枢動し後方に動く。スタッキング領域１１は、スタックから離れてその上方に収容され、対照シートを抽出するために制御広範なアクセスが可能になる。
【００６１】
サンプルの取得後、スタッキング面１１は後退位置に制御される。次に、従動ローラ１４、１７は、制御形状１５、１８を反対方向に辿る。第１の従動ローラ１４は、溝１９及び２０の厚さが異なるので、第２の制御形状１８と交差する際にこれを辿ることができない。
【図１】
2021526494.tif 000003
【図２】
2021526494.tif 000004
【図３】
2021526494.tif 000005
【図４】
2021526494.tif 000006
【図５Ａ】
2021526494.tif 000007
【図５Ｂ】
2021526494.tif 000008
【図６Ａ】
2021526494.tif 000009
【図６Ｂ】
2021526494.tif 000010
【図７Ａ】
2021526494.tif 000011
【図７Ｂ】
2021526494.tif 000012
【図８Ａ】
2021526494.tif 000013
【図８Ｂ】
2021526494.tif 000014
【図８Ｃ】
2021526494.tif 000015
【国際調査報告】
2021526494.tif 000016
2021526494.tif 000017
2021526494.tif 000018
2021526494.tif 000019